(57)【要約】【課題】オムツ本体によらず、排泄物や洗浄液の飛散を防止する手段を備えた排泄補助器具を提供することを目的とする。さらにゴムパッキン等の液密手段を使用することなく液密性を確保し、以て皮膚のカブレや痒みの生ずるおそれのない快適な排泄補助器具を提供することを目的とする。【解決手段】吸引装置に接続される第１排泄物吸引口１と、該第１排泄物吸引口１が設けられる臀部カバー２及び鼠蹊部カバー３と、からなる側面視コの字形状のカバー４とからなる排泄補助具５において、前記排泄補助具５は吸引装置に接続される第２排泄物吸引口６と、前記カバー４の被介護者当接面の外周に連続して配される吸引溝７を備え、前記第２排泄物吸引口６は前記吸引溝７の流路上に設けられ、吸引装置による負圧により被介護者の身体と前記カバー４を密着させながら排泄物を吸引することを特徴とする吸引溝付排泄補助具により上記課題を解決する。【選択図】図１
2010131327.tif 000002
【特許請求の範囲】
【請求項１】
吸引装置に接続される第１排泄物吸引口と、該第１排泄物吸引口が設けられる臀部カバー及び鼠蹊部カバーとからなる側面視コの字形状のカバーと、からなる排泄補助具において、前記排泄補助具は吸引装置に接続される第２排泄物吸引口と、前記カバーの被介護者当接面の外周に連続して配される吸引溝を備え、前記第２排泄物吸引口は前記吸引溝の流路上に設けられ、吸引装置による負圧により被介護者の身体と前記カバーを密着させながら排泄物を吸引することを特徴とする吸引溝付排泄補助具。
【請求項２】
第１排泄物吸引口は臀部カバーの鉛直下方方向から臀部カバー上に開口するように設けられ、第２排泄物吸引口は前記カバーが湾曲し始める部分の吸引溝内に開口するように設けられてなる請求項１記載の吸引溝付排泄補助具。
【請求項３】
臀部カバーに設けられる吸引溝は第２排泄物吸引口に向けて傾斜してなる請求項１又は２のいずれかに記載の吸引溝付排泄補助具。
【請求項４】
鼠蹊部カバーには凹部が設けられてなり、該凹部により排尿が第１排泄物吸引口に導かれる請求項１〜３のいずれかに記載の吸引溝付排泄補助具。
【請求項５】
第1排泄物吸引口には上流から下流に行くに従ってピッチが狭くなるように配置された破砕刃を備えたスクリューコンベアを内装したクラッシュユニットが接続される請求項１〜４のいずれかに記載の吸引溝付排泄補助具。
【発明の詳細な説明】
【技術分野】
【０００１】
本発明は、被介護者の股間部分に装着して、排泄物を自動的に吸引除去する排泄補助器具であって、特に排泄補助具に吸引溝を設け、排泄物及びそれに由来する臭気が排泄補助器具から漏れるおそれのない吸引溝付排泄補助具に関する。
【背景技術】
【０００２】
寝たきりの被介護者は自力でトイレまで行くことができないため、オムツが一般的に利用されている。しかし、介護者にとってオムツの交換は肉体的な負担のみならず精神的な負担ともなっている。
【０００３】
近年では介護者の負担を軽減すべく、排泄物をエアーで吸引し、排泄後は温水洗浄、温風乾燥を行う排泄補助具が考案され、使用されるようになっている。
【０００４】
例えば、特許文献１には股部に取付穴をあけたおむつ本体と、該取付穴を塞ぐように取り付けられる、排泄物を受容するおむつカップと、該おむつカップから導いたホースの先に取り付けられ、該おむつカップ内に溜まった排泄物を吸引する吸引ユニットからなる自動排泄装置において、該おむつカップが、糞尿を溜めるための皿部と、該皿部の前部に形成された立上り部から構成し、該おむつ本体の該取付穴の上側に、芯材を入れて盛り上がった尿受けを設け、この尿受けを該おむつカップの該立上り部と連結するようにした自動排泄処理装置が開示されている。この装置によれば、排尿があると、これをオムツ本体の尿受けで受け止めて、これをおむつカップの立ち上り部からおむつカップの皿部に導かれるので、尿が尿受けで受容され、おむつの内部に広がらずに、オムツを汚すことが少ないとの記載がある。しかしながら、特許文献１の装置では、オムツが必須構成要素の一つであり、従来より汚れが少なくなり、おむつ交換の頻度が少なくなったとは言え、おむつの交換が全く不要になるわけではい。
【０００５】
【特許文献１】特開２００１−１９０５８３号公報（請求項１、[０００５]）
【発明の開示】
【発明が解決しようとする課題】
【０００６】
本発明はオムツ本体によらず、排泄物や洗浄液の飛散を防止する手段を備えた排泄補助器具を提供することを目的とする。さらにゴムパッキン等の液密手段を使用することなく液密性を確保し、以て皮膚のカブレや痒みの生ずるおそれのない快適な排泄補助器具を提供することを目的とする。
【０００７】
上記、特許文献１の自動排泄処理装置は吸込口１３a、送水口１３ｂ、送風口１３ｃを備えており、排泄物を吸込口１３aより吸引して処理し、その後、送水口１３ｂ、送風口１３ｃから洗浄水及び温風を供給して、洗浄乾燥する機能を備えているが、排泄物や洗浄水の飛散を防止しして、ベッドを汚すことがないように必ずオムツ本体が必要であり、遅かれ早かれオムツ本体を交換する必要があった。従って、結局は排泄物で汚染されたオムツ本体を介護者が取り換えなければならず、その際には新しいオムツの端の縁３２をオムツカップ１０の縁２０に押し込んで固定しなければならず、煩雑であるという問題があった。
【０００８】
特許文献１のようなオムツ本体を用いず、自動排泄処理装置にゴムパッキン等を設けて液密性を確保し、排泄物又は洗浄液の飛散を防止するという方法も考えられるが、このような手段によれば、常にゴムパッキンが被介護者の肌に接触し、ゴムに対してアレルギーを持つ者に対しては使用できないし、そうでない者であっても、パッキンによって自動排泄処理装置の内部が蒸れて、カブレや痒みの原因となるという問題があった。
【課題を解決するための手段】
【０００９】
吸引装置に接続される第１排泄物吸引口と、該第１排泄物吸引口が設けられる臀部カバー及び鼠蹊部カバーとからなる側面視コの字形状のカバーと、からなる排泄補助具において、前記排泄補助具は吸引装置に接続される第２排泄物吸引口と、前記カバーの被介護者当接面の外周に連続して配される吸引溝を備え、前記第２排泄物吸引口は前記吸引溝の流路上に設けられ、吸引装置による負圧により被介護者の身体と前記カバーを密着させながら排泄物を吸引することを特徴とする吸引溝付排泄補助具により上記課題を解決する。第１排泄物吸引口とはおもに大便を吸引するための吸引口である。一方、第２排泄物吸引口とはおもに液体の排泄物を吸引するための吸引口のことである。第１排泄物吸引口及び第２排泄物吸引口は吸引装置に直接又はフレキシブルパイプなどの配管を介して吸引装置に接続され、吸引装置による負圧により、排泄物をためておく排泄物タンクに送り込まれることとなる。本発明の吸引溝付排泄補助具は被介護者とカバーが接触する被介護者当接面の外周に連続して吸引口を設けることを特徴としており、この吸引溝の流路には第２排泄物吸引口が配されているため、吸引装置の作動時には吸引溝の流路は負圧となる。これにより、被介護者の肌は吸引溝に対して引き寄せられ、吸引溝は被介護者の肌で蓋をされる形になる。このようにして、本発明の吸引溝付排泄補助具は液密性を発揮し、尿や洗浄水の液漏れを生じるおそれがなくなる。
【００１０】
吸引溝は液密性を確保するパッキンの代わりとなる他、吸引溝の流路内に第２排泄物吸引口を開口させているため、吸引溝に流れ込んだ尿や洗浄水は第２排泄物吸引口を経て排泄物タンクに送り込まれることとなる。なお、本発明は排泄物タンクを省略して、吸引した汚物を適宜の配管を介してトイレの浄化槽や下水設備に直接送り込むように構成してもよい。この場合、排泄物タンクを取り換えたり、掃除したりする手間がなくなり好ましい。配管は建物の床下、天井裏等に敷設すれば、建物の美観を損なうことがなく、また人の往来を邪魔することがないので好ましい。
【００１１】
より具体的には第１排泄物吸引口は臀部カバーの鉛直下方方向から臀部カバー上に開口するように設けられ、第２排泄物吸引口はコの字状のカバーが湾曲し始める部分の吸引溝内に開口するように設けるとよい。第１排泄物吸引口は上述の通り主に大便を吸引することから、鉛直下方方向から臀部カバーに向けて開口し、肛門の直下に配置することが望ましい。第１排泄物吸引口は好ましくは直径３〜７ｃｍ、より好ましくは４〜６ｃｍとすれば、便がつまるおそれがない。一方、第２排泄物吸引口についてはコの字状のカバーが湾曲し始める直前の水平部分の吸引溝内に開口するように設けるとよい。というのは、第２排泄物吸引口を臀部カバーの末端又は鼠蹊部カバーの末端に設けたような場合は、臀部カバーの末端又は鼠蹊部カバーの末端のいずれかが吸引力が過度に強くなり他方で吸引力が弱くなるという、吸引力の偏りが生じるからである。また、第２排泄物吸引口の大きさは、小さくしすぎると吸引音が大きくなるので直径３ｍｍ以上とし、逆に大きすぎると吸引溝に収まりきらないので１０ｍｍ以下とすることが好ましい。
【００１２】
臀部カバーに設けられる吸引溝は第２排泄物吸引口に向けて傾斜するように吸引溝を形成すれば、吸引装置の動作終了後の残液も第２排泄物吸引口に流れ込むので、衛生的で好ましい。
【００１３】
鼠蹊部カバーには凹部を設けて、尿が第1排泄物吸引口に自然に流れ込むように排泄補助具を構成することも衛生的に好ましく、この凹部は被介護者の肌に直接触れることがないため、液滴が肌と器具の間に残留するおそれがなく、皮膚にカブレ、痒みが生じるおそれを未然に防ぐことができる。
【００１４】
吸引装置による吸引力だけでは排泄物がフレキシブルパイプ中に詰まって排泄補助具が機能しなくなる場合があるため、第１排泄物吸引口にフレキシブルパイプを直結する構成に換えて、スクリューコンベアを内装したクラッシュユニットを第1排泄物吸引口とフレキシブルパイプの間に介装する構成としてもよい。
【００１５】
第一排泄物吸引口及び第２排泄物吸引口付近には動体センサー、流体センサー等の適宜のセンサーを設けて、排泄物を感知し、自動的に吸引装置が作動するように構成してもよい。
【発明の効果】
【００１６】
排泄補助具に吸引溝を設けることによって、オムツ本体を補助的に使用したり、ゴムパッキン等を排泄補助具に設けることなく、尿や洗浄液の液滴の漏れのない排泄補助具を提供することができる。
【００１７】
本発明の排泄補助器具はゴムアレルギー、蒸れに対して過敏な被介護者に対しても安心して使用することができる。
【００１８】
吸引溝は排泄補助具の使用時においてのみ、液密性、機密性を発揮し、ゴムパッキン等のように常時、被介護者の皮膚に圧力を与えることがないので、被介護者にとって快適な排泄補助器具を提供することができる。
【発明を実施するための最良の形態】
【００１９】
以下、本発明の一実施例について図を参照しながら具体的に説明する。図１は本発明の吸引溝付排泄補助具５の平面図である。図１中、鼠蹊部カバー３の一部は部分透視にて図示した。図２は本発明の吸引溝付排泄補助具５の側面図である。図３は図１のＥからＥ部分のみの正面図である。図４は図１のＡ−Ａ断面図である。図５は図１のＢ−Ｂ断面図である。図６は図１のＣ−Ｃ断面図である。図７は図２のＤ−Ｄ断面図である。図８は本発明のクラッシュユニット１４の平面図である。図９は本発明のクラッシュユニット１４のＦ−Ｆ断面図である。クラッシュユニット１４は前部と後部に分離した状態で図示した。クラッシュユニット１４は拡管部１７を図１及び図２に示される第１排泄物吸引口１に接続して使用する。図１０は本発明のスクリューコンベア１５の側面図である。スクリューコンベア１５は図９に示されるクラッシュユニット１４の中空パイプ１６にオイルシールベアリング１９を介して回転可能に収納される。なお、本発明の吸引溝付排泄補助具５は鼠蹊部カバー３の左右から非介護者の足が出て、鼠蹊部カバー３が被介護者の股間を覆うようにして使用する。使用状態を示す図は省略するが、特許文献１の図２に示されるように横臥した状態等で使用される。
【００２０】
本発明は吸引装置に接続される第１排泄物吸引口１と、該第１排泄物吸引口１が設けられる臀部カバー２及び鼠蹊部カバー３とからなる側面視コの字形状のカバー４とからなる吸引溝付排泄補助具５において、前記吸引溝付排泄補助具５は吸引装置に接続される第２排泄物吸引口６と、前記カバー４の被介護者当接面の外周に連続して配される吸引溝７とからなり、前記第２排泄物吸引口６は前記吸引溝７の流路上に設けられることを特徴とする。本実施例では臀部カバー２及び鼠蹊部カバー３は一体成型品として構成した。臀部カバー２及び鼠蹊部カバー３の境界線は必ずしも明確である必要はないが、臀部カバー２の水平部分が垂直方向に湾曲し始める部位を指す。この境界部分の吸引溝７内に本実施例では直径７ｍｍの第２排泄物吸引口６を設けた。一方、第１排泄物吸引口１は直径５０ｍｍとし、鉛直下方方向から前記臀部カバー２上に開口するように配置した。第１排泄物吸引口１と第２排泄物吸引口６は図示されないフレキシブルパイプを介して吸引装置と接続した。
【００２１】
また、本実施例では吸引溝７を第２排泄物吸引口６に向けて傾斜するように構成した。特に臀部カバー２は略水平に構成してあるので、吸引溝７に傾斜を設けない場合、吸引装置の電源を落としたあと、吸引溝７内に液滴が残留しやすくなり、蒸れの原因ともなる。従って、吸引溝７には第２排泄物吸引口６に向けて傾斜を設けることが望ましい。本実施例の吸引溝７は深さ約１９ｍｍ、幅７ｍｍとし、臀部カバー２及び鼠蹊部カバー３の外周に沿って連続した一本線を描くよう吸引溝７を設けた。
【００２２】
第１排泄物吸引口１の周りには図示されない温水供給手段と接続される温水供給口８と図示されない温風供給手段に接続される温風供給口９を設けて、排泄後に被介護者の体を洗浄、乾燥できるように構成してある。
【００２３】
本実施例では鼠蹊部カバー３には凹部１０を設けた。この凹部１０は卵型の椀部１１と、第１排泄物吸引口１と椀部１１を結び椀部１１から第１排泄物吸引口１に向けて緩やかに傾斜した導尿部１２と、椀部１１から上方に延び鼠蹊部カバー３の末端付近まで延びる上部１３（図３）とからなる。この凹部１０があることにより、吸引力によらなくても自然には排尿が第１排泄物吸引口に流れ込むようになることに加えて、凹部１０により被介護者の肌に鼠蹊部カバー３が直接触れることがなくなり、液滴が肌と器具の間に残留するおそれがなく、皮膚にカブレ、痒みが生じるおそれを未然に防ぐことができる。
【００２４】
吸引装置による吸引力だけでは排泄物がフレキシブルパイプ中に詰まって排泄補助具が機能しなくなる場合があるため、本実施例では図１、図２及び図５に図示される第１排泄物吸引口１に図８及び図９のクラッシュユニット１４の拡管部１７を接続し、凸部１８と図示されないフレキシブルパイプを接続した。クラッシュユニット１４はスクリューコンベア１５（図１５）と、該スクリューコンベア１５を内装する中空パイプ１６とから構成される。中空パイプ１６の上流には第１排泄物吸引口に接続される漏斗状の拡管部１７が設けられ、下流にはフレキシブルパイプを接続する凸部１８を設けた。第１排泄物吸引口１には排尿も吸引されるため、スクリューコンベアの軸受としてはオイルシールベアリング１９を使用し、液密性と気密性を確保した。スクリューコンベア１５の破砕刃２０は上流から下流に行くに従ってピッチが狭くなるように配置し、固形物を徐々に小さな断片に砕けるように工夫した。具体的には第１ピッチ２１は２５ｍｍ、第２ピッチ２２及び第３ピッチ２３は２０ｍｍ、第４ピッチ２４は１５ｍｍ、第５ピッチ２５及び第６ピッチ２６は１０ｍｍとした。排泄物は前記クラッシュユニット１４の拡管部１７からクラッシュユニット１４に引き込まれ、スクリューコンベア１５により断片化された後、凸部１８及びフレキシブルパイプを通って、排泄物タンクに送り込まれる。本実施例の中空パイプは前部２７と後部２８とから構成され、前部２７の末端に雄ねじ部２９を、後部２８の先端に雌ねじ部３０を設け、ねじ込み式で相互に固定されるように構成した。液密性、気密性を確保するためにねじ込みに際して、図示されない樹脂シートを介装させた。
【００２５】
図示は省略するが、第２排物吸引口６（図１参照）の裏面にはフレキシブルパイプを接続するための凸部を設け、該凸部に液密かつ気密に吸引装置に繋がるフレキシブルパイプを接続した。
【図面の簡単な説明】
【００２６】
【図１】本発明の吸引溝付排泄補助具の平面図である。
【図２】本発明の吸引溝付排泄補助具の側面図である。
【図３】図２のＥからＥ部分のみの正面図である。
【図４】図１のＡ−Ａ断面図である。
【図５】図１のＢ−Ｂ断面図である。
【図６】図１のＣ−Ｃ断面図である。
【図７】図１のＤ−Ｄ断面図である。
【図８】本発明のクラッシュユニットの平面図である。
【図９】図８のクラッシュユニットのＦ−Ｆ断面図である。
【図１０】本発明のスクリューコンベアの側面図である。
【符号の説明】
【００２７】
１      第１排泄物吸引口
２      臀部カバー
３      鼠蹊部カバー
４      カバー
５      吸引溝付排泄補助具
６      第２排泄物吸引口
７      吸引溝
８      温水供給口
９      温風供給口
１０    凹部
１１    椀部
１２    導尿部
１３    上部
１４    クラッシュユニット
１５    スクリューコンベア
１６    中空パイプ
１７    拡管部
１８    凸部
１９    オイルシールベアリング
２０    破砕刃
２１    第１ピッチ
２２    第２ピッチ
２３    第３ピッチ
２４    第４ピッチ
２５    第５ピッチ
２６    第６ピッチ
２７    前部
２８    後部
２９    雄ねじ部
３０    雌ねじ部
【図１】
2010131327.tif 000003
【図２】
2010131327.tif 000004
【図３】
2010131327.tif 000005
【図４】
2010131327.tif 000006
【図５】
2010131327.tif 000007
【図６】
2010131327.tif 000008
【図７】
2010131327.tif 000009
【図８】
2010131327.tif 000010
【図９】
2010131327.tif 000011
【図１０】
2010131327.tif 000012